(57)【特許請求の範囲】
【請求項１】
風呂機能と給湯機能の両方の機能を持ち、給湯機能側の湯水を使用する風呂機能の動作と、給湯機能の動作とが共に指令されたときには給湯機能の動作を優先して行い、風呂機能の動作の１つである浴槽への湯の落とし込みは給湯機能の給湯熱源で作り出した湯を給湯側の給湯経路を通して風呂側の経路に導き浴槽に落とし込むタイプの複合機において、風呂機能と給湯機能の動作を制御する制御装置には少くとも風呂使用側に設置されるリモコンが接続され、前記風呂機能の複数の動作モードには優先順位が付けられてその優先順位がメモリに与えられるとともに、少なくとも風呂機能の各動作モードの中で、動作開始時から動作終了までの所要時間がほぼ定まっている動作モードを特定動作モードとして動作の所要時間と共にメモリに格納しておき、優先順位の異なる風呂機能の動作モードの指令が重複状態となったときにその重複指令状態の検知とメモリに与えられている情報に基づき優先順位の確定を行う重複指令検知部を設け、給湯機能の動作指令によりその動作が行われたときにはその給湯機能の動作指令を受けてその給湯機能の動作が行われている期間にかけて給湯使用につき待機中である旨を報知し、前記優先順位の異なる風呂機能の動作モードの指令が重複状態となったときには重複指令検知部の優先順位の確定結果に基づいて優先順位の高い動作モードを示して優先順位の低い方の動作が待機中である旨を報知し、前記特定動作モードでの動作指令とそれよりも優先順位の低い動作モードでの動作指令が重複状態となったときには特定動作モードを示して優先順位が低い動作モードの動作が待機中である旨の報知に併せて所要の待機時間を報知する報知部が風呂使用側に設置されるリモコンに設けられていることを特徴とする複合機。
【請求項２】
風呂機能と給湯機能の両方の機能を持ち、給湯機能側の湯水を使用する風呂機能の動作と、給湯機能の動作とが共に指令されたときには給湯機能の動作を優先して行い、風呂機能の動作の１つである浴槽への湯の落とし込みは給湯機能の給湯熱源で作り出した湯を給湯側の給湯経路を通して風呂側の経路に導き浴槽に落とし込むタイプの複合機において、風呂機能と給湯機能の動作を制御する制御装置には少くとも風呂使用側に設置されるリモコンが接続され、前記風呂機能の複数の動作モードには優先順位が付けられてその優先順位がメモリに与えられるとともに、少なくとも風呂機能の各動作モードの中で、動作開始時から動作終了までの所要時間がほぼ定まっている動作モードを特定動作モードとして動作の所要時間と共にメモリに格納しておき、前記給湯機能側の湯水を使用する風呂機能の動作と給湯機能の動作が共に指令された状態時に、その両機能の重複指令状態を検知すると共に、優先順位の異なる風呂機能の動作モードの指令が重複状態となったときにその重複指令状態の検知とメモリに与えられている情報に基づき優先順位の確定を行う重複指令検知部を設け、風呂使用側に設置されるリモコンには前記重複指令検知部の重複指令検知結果に基づいて前記給湯機能側の湯水を使用する風呂機能の動作と給湯機能の動作が共に指令された状態時には給湯使用につき待機中である旨を報知し、優先順位の異なる風呂機能の動作モードの指令が重複状態となったときには前記重複指令検知部の優先順位の確定結果に基づいて優先順位の高い動作モードを示して優先順位の低い方の動作が待機中である旨を報知し、前記特定動作モードでの動作指令とそれよりも優先順位の低い動作モードでの動作指令が重複状態となったときには特定動作モードを示して優先順位が低い動作モードの動作が待機中である旨の報知に併せて所要の待機時間を報知する報知部が設けられていることを特徴とする複合機。
【請求項３】
制御装置には給湯使用側に設置されるリモコンが接続されており、給湯使用中に給湯機能側の湯水を使用する風呂機能の動作が指令されたときに、前記風呂機能の指令された動作が待たされている旨を報知する報知部が給湯使用側に設置されるリモコンに設けられている請求項１又は請求項２記載の複合機。
【発明の詳細な説明】
【０００１】
【産業上の利用分野】
本発明は、湯張り、追い焚き、足し湯、埋め湯等の風呂機能と、給湯機能の両方の機能を持った複合機に関するものである。
【０００２】
【従来の技術】
図３には従来の複合機のシステムが示されている。同図において、浴槽１には循環ポンプ２で浴槽１内の湯水を吸引して追い焚き熱交換器３を通して浴槽１に戻す風呂側経路の追い焚き循環管路４が接続されており、給湯側には給水管５から供給される水を給湯熱源の給湯熱交換器６で加熱し、この加熱によって得られた湯を所望の場所に送り込む給湯経路の給湯管７が設けられている。この給湯管７と追い焚き循環管路４は、湯張りユニット機構21を組み込んだ湯張り通路９ａ，９ｂを介して接続されている。この湯張りユニット機構21は湯張り機構部11とタンクの排水室17を有して形成され、湯張り機構部11はその詳細を示した図４に示すように、メイン弁室15と、縁切り室16と、吐出弁室18とを備えている。
【０００３】
メイン弁室15の入口通路20は湯張り通路９ａを介して給湯管７に連通されている。メイン弁室15の底壁22からは弁座23として機能する筒壁が突設されており、この弁座23の上側には弁孔通路24の入口側を開閉するメイン開閉弁として機能するパイロット電磁弁25が配設されている。
【０００４】
縁切り室16はメイン弁室15の下方位置に設けられており、この縁切り室16には第１の逆止弁26と大気開放弁27とが設けられている。
【０００５】
第１の逆止弁26は縁切り室16の内壁面に沿って上下移動が自在の弁体28を有しており、この弁体28の上部側にはＯリング等のシール部材30が装着されており、このシール部材30は前記弁孔通路24の出口側に設けられている傾斜壁面31に当接し、弁体28の上下移動により弁孔通路24の出口を開閉するようになっている。この弁体28の中心部には下方に突設した胴部32を備えており、この胴部32には鍔33を備えた筒部材34が上下摺動自在に遊嵌されており、この筒部材34の底壁35の中心部にはパイロット弁孔36が形成されている。
【０００６】
このパイロット弁孔36は前記弁体28の胴部32の下端面と対向しており、この下端面には弁37が設けられ、この弁37によりパイロット弁孔36の開閉が行われるようになっている。前記弁体28の周壁側からは係合片40が内側に向けて突設されており、この係合片40は弁体28が上方移動するときに、鍔33に係合し、弁体28と連動して筒部材34を上方に引き上げる構成となっている。
【０００７】
前記筒部材34の底壁35の下端面側には縁切り室16と排水室17とを連通する弁孔41を開閉する弁42が設けられており、弁体28の下方移動によって弁孔41は弁42によって閉じられ、このとき、図５に示すように、前記係合片40と鍔33の間には隙間43が形成される。前記係合片40と縁切り室16の底壁間にはスプリング44が配設されており、常時はこのスプリング44の復元力によって弁体28は上方に付勢され、弁孔通路24の出口側をシール部材30で閉止しており、この状態で弁孔41は開放されている。なお、パイロット弁孔36、弁37，42の機構部は弁孔41を開閉する大気開放弁27を構成している。
【０００８】
前記吐出弁室18は上部室46と下部室47を有して縁切り室16の隣側に配置され、縁切り室16から横方向に伸びる通路45によって縁切り室16と上部室46との連通が図られている。上部室46と下部室47の隔壁48には弁孔50が形成されており、この弁孔50の入口側には負圧閉止弁51が設けられており、この負圧閉止弁51と上部室46の頂壁52間には圧縮状のスプリング53が介設されており、このスプリング53の付勢力を受けて弁孔50は負圧閉止弁51によって閉鎖されている。一方、下部室47には弁孔50の出口側を開閉する第２の逆止弁54が設けられており、この第２の逆止弁54と下部室47の底部間には同様に圧縮状のスプリング55が介設されており、このスプリング55の付勢力によって弁孔50の出口側は第２の逆止弁54によって閉鎖されている。前記下部室47は湯張り通路９ｂを介して追い焚き循環管路４に接続されている。
【０００９】
前記縁切り室16と弁孔41を介して連通する排水室17の底面側からはガイド軸57が上方に向けて突設されており、このガイド軸57にフロート58が摺動自在に嵌め込まれている。そしてこのフロート58にはマグネット（図示せず）が取りつけられ、排水室17の壁面にはリードスイッチ56が設けられ、フロート58が浮力を受けて予め設定された水位まで上昇したときに、フロート58側のマグネットとリードスイッチ56とが対向し、リードスイッチから循環ポンプ２を起動するオン信号が出力されるようになっている。また、排水室17の底壁側からは上方に突出するオーバーフロー管60が設けられており、排水室17の水位がオーバーフロー管60の上端を越えたときに、そのオーバーフローの水（湯）がオーバーフロー管60を通して外に排出されるようになっている。
【００１０】
また、排水室17の底壁には排水管61の入口側が連通されており、排水管61の出口側は追い焚き循環管路４の戻り管59、つまり、循環ポンプ２の吸い込み側の管路に接続されている。そして、排水管61には第３の逆止弁62と第１の制御開閉弁として機能する電磁弁63が設けられている。また、前記排水管61の出口側の接続部よりも浴槽１側寄りの戻り管59には第２の制御開閉弁としての電動二方弁64が設けられている。なお、図３中、12は入水温度センサ、13は出湯温度センサ、14は浴槽１の湯温を検出する風呂温度センサ、65は流量センサ、66は通水量を可変制御する水量制御弁、67は浴槽１内の水位を圧力によって検出する水位センサ（圧力センサ）、68は追い焚き湯水の流れを検出する追い焚き流水スイッチをそれぞれ示している。
【００１１】
この種の複合機の運転は制御装置70によって制御されており、この制御装置70には浴室等の風呂使用側に設置されるリモコン71と、台所等の給湯使用側に設置されるリモコン72とが接続されている。給湯側のリモコン72には図２の（ａ）に示すように、制御装置70を動作可能状態にオン駆動する運転ボタン73と、湯張りの自動運転を指令する自動ボタン74と、給湯温度を設定する給湯温度設定ボタン75と、設定された給湯温度を表示する給湯温度表示部76とが設けられている。
【００１２】
また、風呂側のリモコン71には、同じく運転ボタン73と自動ボタン74が設けられる他に、浴槽水位を設定する水位設定ボタン77と、設定された水位の水位表示部78と、風呂温度を設定する風呂温度設定ボタン79と、設定された風呂温度を表示する風呂温度表示部80と、湯張り運転（湯張りモードの運転）を指令する湯張りボタン81と追い焚き運転（追い焚きモードの運転）を指令する追い焚きボタン82と、足し湯運転（足し湯モードの運転）を指令する足し湯ボタン83と、埋め湯運転（埋め湯モードの運転）を指令する埋め湯ボタン84とが設けられている。
【００１３】
なお、自動ボタン74で自動運転が指令されると、自動的に、湯張りモードと追い焚きモードとその後の追い焚きによる保温モードと、浴槽水位が設定水位よりも低下したときには設定水位までの不足分の湯を落とし込む足し湯モードの運転と、風呂温度が風呂設定温度よりも高いとき（風呂の使用者が風呂の設定温度を低めに変更した場合を含む）には、水又は湯温の低い湯を落とし込んで浴槽湯温を風呂設定温度に下げる埋め湯モードの運転が自動的に行われるので、１個の自動ボタン74のみで全てのモードの動作が可能となることから、湯張りボタン81と追い焚きボタン82と足し湯ボタン83と埋め湯ボタン84は必要に応じ省略されることもある。
【００１４】
次に、この種の複合機の運転動作を説明する。まず、給湯運転の動作は、給湯管７の先端側に設けられている給湯栓（図示せず）が台所等で開けられることにより開始する。給湯栓が開けられると給水管５を通って水道等の水供給源の水が給湯熱交換器６側に入り込み、この通水が流量センサ65により検出され、この検出信号を受けて制御装置70は給湯熱交換器６のバーナ（図示せず）を燃焼し、給湯熱交換器６を通る水を加熱して設定温度の湯にし、この湯を給湯管７を通して台所等の所望の給湯場所に導いて出湯する。湯の使用が終わって給湯栓が閉めるられると、通水が停止し、この通水停止が流量センサ65により検出され、この通水停止の検出結果を受けて、制御装置70は給湯熱交換器６のバーナを燃焼停止して給湯モードの運転を終了する。
【００１５】
リモコン71又は72の自動ボタン74がオンされると、まず、湯張りモードの動作となり、給湯確認スイッチ19がオフしているのを確認してからパイロット電磁弁25の開動作により弁孔通路24の入口側が開かれる。そうすると、給湯管７側から供給されてくる湯は弁孔通路24に入り込み、その水圧により、弁体28をスプリング44の付勢力に抗して下方に押し下げ、弁孔通路24の出口側を開く。同時に、弁体28の下方への押しつけ移動により、弁37の下方移動によってパイロット弁孔36が閉じられ、同様に弁孔41は弁42の下方移動によって閉じられ、縁切り室16と排水室17との連通が遮断される。この連通遮断により、通路45を通って縁切り室16に入り込む湯は水道圧によって負圧閉止弁51を押し上げて弁孔50に入り込み、さらに第２の逆止弁54をスプリング55の付勢力に抗して下方に押し下げて弁孔50の出口側が開かれる結果、湯は弁孔50から下部室47に入り込み、さらに湯張り通路９ｂを通って追い焚き循環管路４に入り込み、この追い焚き循環管路の往管69と戻り管59の両側から浴槽１内に水道圧によって落とし込まれる。
【００１６】
この浴槽１への湯張りの水位が設定水位となったときに、パイロット電磁弁25の弁の閉止動作によって弁孔通路24の入口側が閉止される結果、弁体28を下方に押しつける力よりもスプリング44の上方への付勢力が打ち勝ち、弁体28が上昇移動を開始する。このとき、弁42が形成されている筒部材34の鍔33と弁体28側の係合片40との間には図５に示す如く隙間43が形成されているので、まず弁体28は係合片40が鍔33に係止するまで上昇移動し、この弁体28の上昇移動により弁37も連動して上方移動する結果、パイロット弁孔36が最初に開かれる。そうすると、排水室17側の大気がパイロット弁孔36を通って縁切り室16に入り込む結果、縁切り室16は大気圧となり、縁切り室16内の水圧を利用した弁42による弁孔41の押しつけ閉止力が解除される。
【００１７】
スプリング44の復元力を受けて弁体28がさらに上昇し続けると、係合片40は鍔33に係合し、筒部材34が弁体28と一体的に上方移動するので、弁42も一体的に上方移動し、弁孔41が完全に開放され、弁孔通路24の出口側は第１の逆止弁26のシール部材30によって閉じられる。このとき、縁切り室内に満たされていた湯は弁孔41から排水室17側に入り込むが、このとき、フロート58が浮力を受けて設定位置まで上昇すると、リードスイッチ56からオン信号が出力され、湯張りモードの動作が一時的に停止してタンク排水モードの動作となる。このタンク排水モードの動作では、電磁弁63が開けられ、電動二方弁64が閉められて循環ポンプ２の起動が行われるので、排水室17内に溜まった水は排水管61を通った後、循環ポンプ２により強制的に追い焚き循環管路４の往管69側から浴槽１内に排水される。この排水室17の湯の排水が完了すると、タンク排水モードから再び湯張りモードに切り換わり、湯張りが行われる。そして、水位センサ67により浴槽１の水位が設定水位になったことが検出されたときに、パイロット電磁弁25を閉じて湯張りモードの動作を終了する。
【００１８】
なお、パイロット電磁弁25の閉動作と同時に負圧閉止弁51はスプリング53の付勢力によって弁孔50の入口側を閉止し、排水室17側の空気が縁切り室16を通って弁孔50に入り込むのを防止する。また、第２の逆止弁54もパイロット電磁弁25の閉動作と同時にスプリング55の付勢力によって弁孔50の出口側を閉じ、追い焚き循環管路３側から汚水が弁孔50を経て縁切り室16側に入り込むのを防止するものである。
【００１９】
湯張りモードの動作が終了すると、次の追い焚きモードの動作が行われる。この追い焚きモードの動作では、循環ポンプ２を駆動して、浴槽１内の湯を追い焚き循環管路４を通して循環させて、浴槽１内の湯を撹拌し、風呂温度センサ14で浴槽１内の湯温を検出する。浴槽湯温の検出温度が風呂設定温度よりも低いときには、循環ポンプ２を引き続き駆動し、追い焚き循環管路４を循環する湯を追い焚き熱交換器３で加熱して湯温を上昇させ、浴槽の湯を沸かす。風呂温度センサ14の検出温度が風呂設定温度に達したときに、循環ポンプ２を停止して追い焚きモードの動作を終了する。
【００２０】
この追い焚きモード動作の終了後は所定時間、例えば、４時間の間、保温モードの動作となり、所定の時間間隔、例えば、30分毎に循環ポンプ２を駆動して浴槽１の湯の循環による攪拌を行った後に風呂温度センサ14で浴槽湯温を検出し、風呂設定温度よりも低下しているときには追い焚きを行い浴槽湯温を風呂設定温度に保つ。
【００２１】
また、浴槽の湯が汲み上げ使用される等して、浴槽の水位が設定水位よりも低下したときには、この湯水の低下が水位センサ67により検出されて足し湯モードの動作となり、パイロット電磁弁25が開けられて、給湯熱交換器６側の湯が浴槽１に落とし込まれ、湯の補充が行われる。そして、水位センサ67の水位検出値が風呂設定水位に達したときに、パイロット電磁弁25が閉じられて足し湯モードの動作が終了する。また、浴槽１に入浴する者が、風呂設定温度を低めに変更する等、浴槽湯温が風呂設定温度よりも高くなったときには、埋め湯モードの動作となり、パイロット電磁弁25が開けられて、給湯熱交換器６側から加熱されない冷たい水又は温度の低い湯が浴槽１に落とし込まれ、浴槽湯温は風呂設定温度に制御される。なお、図２の（ｂ）の破線で示すように、湯張りボタン81と追い焚きボタン82と足し湯ボタン83と埋め湯ボタン84が設けられている場合は、ボタン操作を行うことによりその操作ボタンのモードの単独動作が選択的に行われる。
【００２２】
【発明が解決しようとする課題】
しかしながら、従来の複合機では、給湯運転中に、風呂側のリモコン71で、例えば、自動ボタン74を操作して湯張りを行おうとしたとき、制御装置70は、風呂機能の動作よりも、給湯機能の動作を優先するため、湯張り運転が開始されず、風呂側のリモコンを操作した者は、給湯使用中のために湯張りが開始されないのであることが分からず、器具が故障したのではないかと誤解し、不安になるという問題があった。また、同様に、給湯運転中（給湯確認スイッチ19がオン中）に、風呂側で、足し湯や埋め湯のリモコン操作をしても、同様に、給湯動作中は風呂機能の動作が行われないために、風呂側のリモコン操作をした者は、足し湯や埋め湯の動作が開始しないことで、器具が故障したのではないかと誤解して不安になるという問題がある。
【００２３】
さらに、同じ風呂機能の動作においても、排水室17に設定水位以上の湯水が溜まると、リードスイッチ56のオン信号を受けてタンク排水モードの動作が優先して行われるため、このタンク排水モードの動作中に風呂側で追い焚きや足し湯や埋め湯等の風呂機能の動作を行おうとしても、その動作が開始せず、同様にリモコンを操作した者は器具が故障したのではないかと誤解が生じ、また、湯張り運転中に、タンク排水モードの動作に切り換わると、湯張り動作が一時的に停止する結果、使用者は湯張り動作の中断がタンク排水モードに切り換わったために生じたことが分からず、器具が故障したのではないかと同様に誤解して不安になるという問題があった。
【００２４】
さらに、台所等で給湯の湯を使用している者は、風呂側で湯張りや足し湯や埋め湯のリモコン指令がされたことが分かれば、湯の使用を早めに切り上げたり、重要度の低い水仕事は後回しにして風呂側の動作にできるだけ速く切り換えるようにできるのであるが、給湯の湯の使用側では、風呂側で風呂機能のリモコン動作が行われたことが分からず、のんびり湯の使用を続けがちとなるため、風呂の使用者を長い時間待たせてしまうという問題があった。
【００２５】
さらに、例えば、湯張り運転や追い焚き運転中に、タンク排水モードの動作に切り換わったときには、その湯張りや追い焚きの動作が中断するが、その中断状態がいつまで続くのかが分からず、使い勝手上も不便であった。
【００２６】
本発明は上記従来の課題を解決するためになされたものであり、その第１の目的は、給湯動作中に、給湯機能の湯水を使用する風呂機能の動作が指令されたとき、又は該風呂機能の動作中に給湯動作が割り込んだときには、給湯動作中のため風呂機能の動作が待ち状態にあることを知らせることができる複合機を提供することにあり、第２の目的は、給湯の湯の使用者に、風呂側で待たされている者がいることを知らせることができる複合機を提供することにあり、第３の目的は、風呂機能の各モードの動作においても、優先順位の低い動作中に、優先順位の高いモードの動作が割り込んだとき、又は優先順位の高いモードの動作中に優先順位の低い動作モードが指令されたときには、優先順位の低い方の動作が待ち状態にあることを知らせることができる複合機を提供することにあり、第４の目的は、優先順位の高い動作モードの割り込みによって優先順位の低いモードの動作が中断される場合には、その待ち時間が予測できる場合には、その待ち時間を知らせることができる複合機を提供することにある。
【００２７】
【課題を解決するための手段】
本発明は上記目的を達成するために、次のように構成されている。すなわち、第１の発明は、風呂機能と給湯機能の両方の機能を持ち、給湯機能側の湯水を使用する風呂機能の動作と、給湯機能の動作とが共に指令されたときには給湯機能の動作を優先して行い、風呂機能の動作の１つである浴槽への湯の落とし込みは給湯機能の給湯熱源で作り出した湯を給湯側の給湯経路を通して風呂側の経路に導き浴槽に落とし込むタイプの複合機において、風呂機能と給湯機能の動作を制御する制御装置には少くとも風呂使用側に設置されるリモコンが接続され、前記風呂機能の複数の動作モードには優先順位が付けられてその優先順位がメモリに与えられるとともに、少なくとも風呂機能の各動作モードの中で、動作開始時から動作終了までの所要時間がほぼ定まっている動作モードを特定動作モードとして動作の所要時間と共にメモリに格納しておき、優先順位の異なる風呂機能の動作モードの指令が重複状態となったときにその重複指令状態の検知とメモリに与えられている情報に基づき優先順位の確定を行う重複指令検知部を設け、給湯機能の動作指令によりその動作が行われたときにはその給湯機能の動作指令を受けてその給湯機能の動作が行われている期間にかけて給湯使用につき待機中である旨を報知し、前記優先順位の異なる風呂機能の動作モードの指令が重複状態となったときには重複指令検知部の優先順位の確定結果に基づいて優先順位の高い動作モードを示して優先順位の低い方の動作が待機中である旨を報知し、前記特定動作モードでの動作指令とそれよりも優先順位の低い動作モードでの動作指令が重複状態となったときには特定動作モードを示して優先順位が低い動作モードの動作が待機中である旨の報知に併せて所要の待機時間を報知する報知部が風呂使用側に設置されるリモコンに設けられていることを特徴として構成されている。
【００２８】
また第２の発明は、風呂機能と給湯機能の両方の機能を持ち、給湯機能側の湯水を使用する風呂機能の動作と、給湯機能の動作とが共に指令されたときには給湯機能の動作を優先して行い、風呂機能の動作の１つである浴槽への湯の落とし込みは給湯機能の給湯熱源で作り出した湯を給湯側の給湯経路を通して風呂側の経路に導き浴槽に落とし込むタイプの複合機において、風呂機能と給湯機能の動作を制御する制御装置には少くとも風呂使用側に設置されるリモコンが接続され、前記風呂機能の複数の動作モードには優先順位が付けられてその優先順位がメモリに与えられるとともに、少なくとも風呂機能の各動作モードの中で、動作開始時から動作終了までの所要時間がほぼ定まっている動作モードを特定動作モードとして動作の所要時間と共にメモリに格納しておき、前記給湯機能側の湯水を使用する風呂機能の動作と給湯機能の動作が共に指令された状態時に、その両機能の重複指令状態を検知すると共に、優先順位の異なる風呂機能の動作モードの指令が重複状態となったときにその重複指令状態の検知とメモリに与えられている情報に基づき優先順位の確定を行う重複指令検知部を設け、風呂使用側に設置されるリモコンには前記重複指令検知部の重複指令検知結果に基づいて前記給湯機能側の湯水を使用する風呂機能の動作と給湯機能の動作が共に指令された状態時には給湯使用につき待機中である旨を報知し、優先順位の異なる風呂機能の動作モードの指令が重複状態となったときには前記重複指令検知部の優先順位の確定結果に基づいて優先順位の高い動作モードを示して優先順位の低い方の動作が待機中である旨を報知し、前記特定動作モードでの動作指令とそれよりも優先順位の低い動作モードでの動作指令が重複状態となったときには特定動作モードを示して優先順位が低い動作モードの動作が待機中である旨の報知に併せて所要の待機時間を報知する報知部が設けられていることを特徴として構成されている。
【００２９】
さらに第３の発明は、前記第１又は第２の発明の構成を備えたものにおいて、制御装置には給湯使用側に設置されるリモコンが接続されており、給湯使用中に給湯機能側の湯水を使用する風呂機能の動作が指令されたときに、前記風呂機能の指令された動作が待たされている旨を報知する報知部が給湯使用側に設置されるリモコンに設けられていることを特徴としている。
【００３０】
【作用】
上記構成の第１の発明では、給湯機能の動作が行われているときには、風呂使用側のリモコンに給湯使用につき待機中である旨が報知され、風呂側のリモコンで、給湯側の湯水を使う風呂機能の動作を指令する者は、その報知により、現在給湯使用中であるため、風呂機能の動作がリモコン指令しても直ちに行われないことを知ることができる。
【００３１】
また、第２の発明では、給湯の動作中に、風呂側に設置されているリモコンで、給湯側の湯水を使用する風呂機能の動作を指令すると、現在給湯使用による待機中である旨が報知されるので、その報知により、給湯使用が終わるまで待たされる状態にあることが分かることになる。
【００３２】
さらに第１、第２の発明では、風呂機能の優先順位の低い動作モードの運転中に、例えば、タンク排水モードの優先順位の高い動作が割り込んだときには、その優先順位の高いモードの動作に切り換わるが、風呂の使用者は、そのモード動作の切り換わりが風呂使用側に設置されるリモコンに報知されるため、今まで動作していた優先順位の低いモードの動作が突然中断した理由が分かり、器具が故障したのではないかと不安になることもなくなる。
【００３３】
さらに第１、第２の発明では、優先順位の高い割り込みモードの動作に切り換わったときには、今まで動作していた優先順位の低いモードの動作が中断して待たされる時間が報知されるため、その中断の待機時間の目安がつき、安心してその時間まで待つことができる。
【００３４】
さらに第３の発明では、給湯使用中に給湯側の湯水を使用する風呂機能の動作が指令されたときには、その風呂使用側で待たされている者がいることが給湯使用側のリモコンで報知されるため、給湯の湯の使用者は、湯の使用を早めに切り上げる等の対応ができるため、給湯の湯の使用側と風呂使用側との調和が円滑に図れることとなる。
【００３５】
【実施例】
以下、本発明の実施例を図面に基づいて説明する。なお、以下の実施例の説明において、従来例と同一の名称部分には同一符号を付し、その重複説明は省略する。本実施例の複合機のシステムは、前記図３に示すものと同様であり、本実施例において特徴的なことは、風呂使用側に設置されるリモコン71には給湯使用中、又は優先順位のより高い風呂機能の動作中のために待機状態にある旨を必要に応じ待機時間と併せて報知する報知部を設け、給湯使用側に設置されるリモコン72側には給湯側の湯水を使う風呂機能の運転が指令されたときには、その旨を報知して、給湯使用の者に風呂側で待たされている者がいることを報知して、給湯使用側と風呂使用側の調和を図る手段を講じたことであり、それ以外の構成は従来例と同様である。
【００３６】
図１は第１の実施例における複合機の要部構成を示すもので、この実施例の複合機は、給湯側動作モード出力部85と、風呂側動作モード出力部86と、重複指令検知部87と、風呂運転制御部88と、給湯運転制御部89と、給湯使用側に設置されるリモコン72に設けられる報知部90と、風呂使用側に設置されるリモコン71に設けられる報知部91とを有して構成されている。
【００３７】
給湯側動作モード出力部85は、給湯管７の先端側に設けられている給湯栓が開けられて、流量センサ65により、器具の運転が可能な最低作動流量以上の流量検知信号を受けて、給湯モードの動作指令を出力する。
【００３８】
風呂側動作モード出力部86は、リモコン71，72の自動ボタン74のオン信号を受けて湯張りモードの動作指令を出力すると共に、自動湯張り運転の進行に伴い、湯張りモードの運転が終了して次の追い焚きモードの動作に移るときには追い焚き動作の動作指令を出力し、また、追い焚き後の保温動作中に水位センサ67により浴槽水位の低下が検知されたときには、足し湯モードの動作指令を出力し、さらには、浴槽湯温が風呂設定温度よりも予め設定される許容範囲を越えて高い場合には、浴槽湯温を風呂設定温度にするための埋め湯モードの動作指令を出力する。さらに、風呂側のリモコン71に図２の（ｂ）に示すように湯張りボタン81と追い焚きボタン82と足し湯ボタン83と埋め湯ボタン84がそれぞれ設けられて、それぞれのボタン操作により、動作モードの指令がされたときには、そのボタンに対応するモード動作の指令を出力する。さらにまた、排水室17内の湯水の水位が上昇し、リードスイッチ56からオン信号が加えられたときには、タンク排水モードの動作指令を出力する。
【００３９】
メモリ90には、各動作モードの優先順位が格納されている。この優先順位としては、風呂機能の動作指令よりも給湯機能の動作指令を優先するので、給湯モードの動作指令に最も高い優先順位が与えられている。そして、風呂機能側の動作モードの中でも優先順位が定められ、風呂機能側の動作モードの中では、タンク排水モードの動作指令に一番高い優先順位が与えられ、次に湯張りモードの動作指令、次に追い焚きモードの動作指令という如く、優先順位が与えられて記憶されている。
【００４０】
重複指令検知部87は優先モード確定部と報知信号出力回路とを備えており、優先モード確定部は給湯側動作モード出力部85と風呂側動作モード出力部86から加えられる各種の動作モードの指令が重複したときに、メモリ90の優先順位データ（情報）を参照して優先側の動作モード指令を確定し、その優先側の動作モード指令を風呂運転制御部88と給湯運転制御89の対応する制御部に出力する。
【００４１】
その一方で、重複指令検知部８７の報知信号出力回路は前記優先モード確定部の優先モード確定結果に基づき報知指令信号を作成し、その報知指令信号を対応する報知部９０，９１に送出する。すなわち、給湯モードの動作指令と、給湯側の湯を使用する風呂機能の動作モードの指令とが重複したときには、優先モード確定部により、給湯モードの動作指令に優先性が与えられることとなり、この結果を受けて報知信号出力回路は、風呂使用側リモコン７１の報知部９１に、給湯モードの優先使用情報の報知指令信号を加え、給湯使用側リモコン７２の報知部９０に風呂機能の動作モードの待機情報の報知指令信号を加える。
【００４２】
また、風呂機能側の異なる動作モードの指令が重複したときには、優先モード確定部により、両指令の優先順位が確定されるが、この確定結果を受けて報知信号出力回路は優先順位の高い方の動作モードの優先使用情報の報知指令信号を風呂使用側のリモコン71の報知部91に加える。
【００４３】
リモコン71，72の報知部91，90は、報知信号出力回路から加えられる報知指令信号に従い、情報を報知する。この報知部の具体例としては、例えば、図２の（ｂ）の鎖線で示すように、風呂使用側のリモコン71に液晶画面の表示部92を設け、給湯モード優先使用情報の場合にはこの表示部92に給湯使用中につき風呂機能の動作が待機されている旨を文字や記号や絵で表示したり、あるいはＬＥＤ等の発光表示部93を設け、この発光表示部93の点灯、点滅等によって給湯使用中を報知したり、さらには、音声報知部94を設け、この音声報知部94により、ブザー音や、人工合成音を用いて給湯使用中を報知する等、様々な仕様態様によって給湯モード優先使用情報の報知が可能である。
【００４４】
また、給湯運転が停止している状態で、風呂側の異なる動作モード指令が重複し、報知信号出力回路から優先順位の高い方の動作モードの優先使用情報の報知指令信号が出されたときにも、報知部91は表示部92に優先順位の高い方のモードの動作中（例えば、タンク排水モードの動作中）につき、優先順位の低い方のモード動作（例えば、湯張りモード動作）が待機されている旨を文字や記号や絵で表示したり、前記給湯モード優先使用者の場合と同様に、発光表示部93や音声報知部94を用いる等して、様々な仕様態様によって風呂側動作モードの重複状態に応じ、優先側動作モードの使用中につき優先順位の低い方の動作が待機中である旨の報知が行われる。
【００４５】
また、給湯使用側に設置されるリモコン72の報知部90も、前記リモコン71の報知部91の報知手段と同様に、図２の（ａ）の鎖線で示すように、液晶画面の表示部92や、発光表示部93や、音声報知部94により構成される。表示部92に報知する場合には、風呂機能の動作モードを文字あるいは記号や絵を使用して表示し、例えば、湯張りモードにはＵＨ、追い焚きモードにはＯＩ、足し湯モードにはＴＡ、埋め湯モードにはＵＭという如く、区別表示し、その表示されたモードの動作中につき、待たされている旨を報知する。同様に、発光表示部93で発光表示する場合も、その発光の態様を可変して各動作モードを区別報知し、音声報知部94により報知する場合もブザー音の場合はその音の長さや長い音と短い音の組み合わせ態様や、音色を変える等して区別報知し、人工合成音の場合には、例えば、「湯張りのために待機中です」、「追い焚きのために待機中です」という如く、何の動作のために待たされているかを区別報知する。
【００４６】
風呂運転制御部88は風呂機能の各モードのシーケンスプログラムを持ち、従来例と同様に指令された各モードの風呂機能の動作運転を制御する。この風呂運転の制御に際し、優先順位の低い動作モードの指令によって運転している途中に、それよりも優先順位の高い動作モードの指令が加えられたときには、その優先順位の高い動作モードの運転が終了するまで優先順位の低い動作モードの運転は中断して待機状態となる。
【００４７】
給湯運転制御部89は給湯運転のシーケンスプログラムを持ち、このシーケンスプログラムに従い、従来例と同様に給湯運転を制御する。
【００４８】
この実施例によれば、給湯運転中に、風呂側のリモコン71を操作して給湯側の湯水を使用する風呂機能の動作指令を行ったときに、風呂機能の動作よりも給湯機能の動作が優先されているために、その指令した風呂機能の動作が待機中となって運転が開始されないが、風呂側のリモコン71の報知部91により、給湯使用中のために待機している旨が表示されるので、風呂の使用者は、その報知により、風呂機能の動作が開始しないのは、器具の故障ではなく、給湯使用中のためであると確認でき、器具故障の不安を感じることなく給湯運転が終了するのを待つことができる。
【００４９】
また、給湯使用側のリモコン72側にも風呂側で給湯使用が終わるのを待っている者がいることを知ることができ、湯の使用を早めに切り上げる等の対応を取ることができ、給湯側使用と風呂側使用の調和を取ることが可能となる。
【００５０】
さらに、例えば、湯張りモードの運転中、あるいは追い焚きモードの運転中に、優先順位の高いタンク排水モードが割り込んだときには、湯張りモードの運転や追い焚きモードの運転は中断されることとなるが、風呂を使用する者は、その中断の理由が、リモコン71の報知部91による報知によって確認できるために、その湯張りや追い焚きの中断が器具の故障ではなく、それよりも優先順位の高いタンク排水モードが割り込んだために中断していることが分かり、安心してその優先順位の高い動作モードの運転が終了するのを待つことができる。
【００５１】
前記第１の実施例では、給湯側の動作モードの指令と、風呂側の動作モードの指令とが重複したときに、給湯使用側のリモコン72に風呂側で指令された動作モードを報知し、風呂使用側のリモコン71側には給湯使用中である旨を報知したが、この報知形態を変え、給湯側動作モードの指令と風呂側動作モードの指令の重複の有無にかかわらず、給湯動作モードが給湯側動作モード出力部85から出力されたときには直ちに風呂側のリモコン71に給湯使用中である旨を報知するようにしてもよく、また、給湯使用の有無にかわわらず、風呂機能の動作モードの指令が風呂側動作モード出力部86から出されたときには、直ちに給湯使用側のリモコン72にその風呂機能の動作モードを報知するようにしてもよい。
【００５２】
このようにすることにより、給湯の使用をする者は、リモコン72に風呂使用中の報知がされている場合には、給湯使用の割り込みを止めるか、優先的に給湯の使用を行う場合にも、風呂側で給湯使用が終わるのを待っている者がいることを知って給湯の使用を行うので、その給湯使用を手短に行う等の配慮を払うことができる。また、風呂側でリモコン71により風呂機能の動作指令を行う場合にも、それ以前から給湯運転が行われているときには、その旨が報知部91により報知されているので、風呂機能の動作指令をしてもその動作が直ちに開始されないことが風呂機能の動作指令を行うときに分かることとなり、非常に好都合となる。
【００５３】
さらに、本発明の実施例を引き続き説明する。この実施例は、風呂機能の複数の動作モードの中には、その動作の開始から終了までの所要時間が予め分かる動作があることに着目し、その所要時間が分かる動作モードの指令とそれよりも優先順位の低い動作モードの指令が重複して優先順位の低い動作モードが中断されるときには、風呂側のリモコン７１の報知部９１により、どれ位の時間を待てば優先順位の高い動作モードの運転が終了するかを優先順位が高い動作モードの運転中につき待機中である旨の報知に併せて報知するようにしたことである。
【００５４】
この実施例では、図１のメモリ９０に所要時間が予め分かっている動作モードの時間が記憶される。例えば、タンク排水モードの動作は、排水室１７の湯水の水位が設定水位まで上昇したときにリードスイッチ５６からオン信号が出されるようになっているので、そのリードスイッチ５６からオン信号が出力されたときのフロート５８の設定位置の水位状態から、その湯水が排水されるまでの時間は既知の値として求められるので、この排水所要時間を予め実験等により求め、その所要時間がメモリ９０に格納される。
【００５５】
そして、例えば、タンク排水モードの動作がされている途中で、例えば追い焚きモードや足し湯モード等のタンク排水モードよりも優先順位の低い他の風呂機能の動作モードが指令されたときには、その優先順位の低い動作モードの動作は開始されず待機状態となり、風呂使用側のリモコン71の報知部91によりタンク排水モードの動作中のために待機中である旨が報知され、併せて、そのタンク排水モードの所要時間が報知されることとなる。
【００５６】
この場合、報知部91によりタンク排水モードの所要時間をメモリ90から読み出してそのまま報知することも可能であるが、タンク排水モードの動作がされている途中でそれよりも優先順位の低い風呂機能の動作モードが指令されたときには、既にタンク排水モードの動作が進行しているため、タンク排水モードの所要時間をそのまま報知すると不正確となる。もちろん、タンク排水モードの所要時間はそれほど長くなく、全所要時間の値をそのまま報知しても構わないが、この第２の実施例では、より正確に待ち時間を表示するために、図１の破線で示すように、待機時間演算部95を設けている。
【００５７】
この待機時間演算部95は演算回路とタイマを内蔵し、タンク排水モードの動作指令がされたときには、その動作指令を重複指令検知部87から受けてタイマを動作させ、タンク排水モードの動作中に優先順位の低い風呂機能の動作モードの指令が出されたときには、タンク排水モードの動作が開始したときからその指令が出されるまでの時間Ｔ1 を計測し、タンク排水モードの所要時間Ｔ0 からＴ1 を差し引いたＴW （ＴW ＝Ｔ0 −Ｔ1 ）の時間情報を風呂使用側のリモコン71の報知部91に加えるのである。報知部91はこの待機時間演算部95から加えられる実際の待機時間ＴW をタンク排水モードの動作中のために待機中である旨の情報と共に液晶画面の表示部92や人工合成音による音声報知部94により報知し、風呂の使用者に正確な待機時間を報知するようにしている。
【００５８】
この実施例によれば、湯張りや追い焚き、あるいは足し湯や埋め湯等の風呂機能の動作が行われているときにそれよりも優先順位の高いタンク排水モードの動作が割り込まれたときや、タンク排水モードの動作中にそれよりも優先順位の低い湯張りや追い焚き等の風呂機能の動作がリモコン等により指令されたときには、タンク排水モードの動作が優先して行われ、それ以外の優先順位の低い風呂機能の動作は待機状態となるが、その待機の正確な時間が報知部９１により報知されることで、風呂の使用者は、その正確な待機時間を知ることにより、いらいらすることなく心に余裕を持ってその待機時間を待つことができることとなる。
【００５９】
本発明は上記実施例に限定されることはなく、様々な実施の態様を採り得る。例えば、上記実施例では、給湯使用側のリモコン７２には風呂機能側の動作モードが待機されている旨の情報を報知するようにし、風呂使用側のリモコン７１の報知部９１側では給湯使用中につき待機中である旨の情報を報知するようにしたが、給湯使用側と風呂使用側のリモコン７１，７２に共に、報知部９０，９１を設け、給湯使用側および風呂使用側に設置されるリモコン７１，７２により、同じ情報、つまり、給湯使用中である旨の情報と風呂機能の待たされている動作モードの情報を共に報知するようにしてもよい。このように、給湯使用側に設置するリモコンと風呂使用側に設置するリモコンとを同じ構成とすることにより、共通のリモコンが使用できることとなり、在庫等の製品管理が容易となる。
【００６０】
また、上記実施例では、給湯使用側のリモコン７２の報知部９０に、待たされている側の風呂機能側の動作モードを区別して報知するようにしたが、これを区別せずに報知するようにしてもよい。この場合には、待たされている風呂機能の動作が湯張りであるか追い焚きであるかの区別はつかないが、風呂側の動作が待たされいることを給湯使用の者に報知することができることとなり、給湯使用側と風呂使用側の調和を取ることができると共に、待たされている風呂機能の動作モードを区別する回路が省略できるので、回路構成を簡易化することが可能となる。
【００６１】
さらに、上記実施例では、給湯使用側に設置されるリモコン７２に風呂側の使用が待たされている旨の報知を行ったが、この報知を省略することもできる。この場合には、給湯使用の者は、風呂側で待たされていることが分からないので、給湯の湯の使用を手短に行う等の配慮を行うことができないが、風呂使用側のリモコン７１には給湯運転中のために風呂機能の指令した動作が待たされていることが表示されるため、風呂使用側の者は、その指令した動作が開始しないのは器具の故障ではなく給湯運転が行われているためであることが分かり、安心して給湯使用が終了するのを待つことができるという効果が得られることとなる。
【００６２】
さらに、上記実施例では、浴室等の風呂使用側と台所等の給湯使用側にリモコンを設置したが、例えば、洗面室等の他の場所にリモコン７１又は７２を設置してもよい。
【００６３】
さらに、上記実施例では給湯の使用中の有無は給湯確認スイッチ19のオン信号で確認する例を示したが、流量センサ65と流量センサＡとの出力差（流量差）から求めてもよい。また、実施例では風呂機能として、湯張り、追い焚き、足し湯、埋め湯、保温等の多くの機能を持つ例で説明したが、湯張り機能のみを持つものでもよく、あるいは、湯張りの他に１つ以上の上記機能を組み合わせたものでもよい。
【００６４】
【発明の効果】
本発明は、給湯機能の動作と、給湯機能側の湯水を使用する風呂機能の動作とが重複したときには、風呂使用側に設置されるリモコンに給湯使用中につき待機中である旨を報知するように構成したものであるから、風呂使用側で、風呂機能の動作指令を行っても、その動作が開始しないのは、器具が故障したからではなく、優先順位の高い給湯機能の動作がされているからであることが分かり、風呂の使用者は、器具が故障したものと誤解して不安になるということがなくなり、安心して給湯使用の動作が終わるのを待つことができる。
【００６５】
また、給湯使用側のリモコンにも風呂使用側で待たされている旨を報知する構成としたものにあっては、給湯使用の者は、その報知により、手短に給湯の湯の使用を行うという配慮を払うこととなり、給湯側と風呂側の湯の使用の調和を図ることが可能となる。
【００６６】
さらに、風呂機能の複数の動作モードに優先順位を付け、優先順位の異なる風呂機能の動作モードの指令が重複状態となったときには、風呂使用側のリモコンの報知部に優先順位の高い動作モードの動作中につき待機中である旨を報知する構成としたので、優先順位の低い方の風呂機能の動作が指令されたにもかかわらずその動作が行われないのは、それよりも優先順位の高い風呂機能の動作が行われて待機中であることが直ちに分かることとなり、これにより、風呂の使用者は、その優先順位の低い方の動作が行われないのは器具が故障したからでないことが分かり、安心して優先順位の高い方の動作が終了するのを待つことができる。
【００６７】
さらに、風呂機能の各動作モードの中で動作開始時から動作終了までの所要時間がほぼ定まっている特定動作モードの指令とそれよりも優先順位の低い動作モードの指令が重複されたときに、風呂使用側のリモコンに特定動作モードの動作中につき待機中である旨とその所要待機時間を報知する構成としたので、優先順位の低い動作モードでの動作が行われないのはそれよりも優先順位の高い特定動作モードの動作が行われているからであると理解でき、しかも、その特定動作モードの動作が終了するまでの所要の待機時間が報知されるので、優先順位の低い動作モードでの動作を行おうとした者は、いらいらすることなくその所要の待機時間を心に余裕を持って待つことができ、使い勝手上非常に好都合である。
【図面の簡単な説明】
【図１】本発明に係る複合機の実施例の要部構成を示すブロック図である。
【図２】給湯使用側に設置されるリモコンと風呂使用側に設置されるリモコンの説明図である。
【図３】複合機のシステム図である。
【図４】図３のシステム図における湯張り機構部の詳細図である。
【図５】大気解放弁の動作説明図である。
【符号の説明】
71，72  リモコン
85  給湯側動作モード出力部
86  風呂側動作モード出力部
87  重複指令検知部
90，91  報知部
95  待機時間演算部
【図１】
0003736872.tif 000002
【図２】
0003736872.tif 000003
【図３】
0003736872.tif 000004
【図４】
0003736872.tif 000005
【図５】
0003736872.tif 000006